(57)【要約】【課題】ゴルファーの体躯や筋力に応じて容易にクラブを選択し得るようにし、且つ異なる番手のクラブであっても同じような感覚でスイングし得るようにし、選択したクラブの特性を調整し得るようにする。【解決手段】クラブ１は、ヘッド２とシャフト３とグリップ４からなり、クラブの全長の値をＬとし、クラブの全質量の値をＷとし、クラブの重心の位置からグリップ末端までの寸法の値をバランスアームＡとし、クラブの重心位置からグリップ末端から一定寸法を差し引いた位置までの長さの値をＡｊとして、該Ａｊの二乗とクラブの全質量Ｗとの積の値をスイングバランスＭとし、前記各値の中からＭを含む少なくとも二つの値を組み合わせて記号又は数値でラベル１０に表示する。特に、グリップ４は、シャフト側の端部４ａに一部分を切除して質量を調整するためのマーク又は残った部分の質量を表わす数値４ｃを形成する。【選択図】        図１
2005304679.tif 000002
【特許請求の範囲】
【請求項１】
ヘッドとシャフトとグリップからなるゴルフクラブに於いて、
クラブの全長の値をＬとし、
クラブの全質量の値をＷとし、
クラブの重心の位置からグリップ末端までの寸法の値をＡとし、
クラブの重心位置からグリップ末端から一定寸法を差し引いた位置までの長さの値をＡｊとして、該Ａｊの二乗とクラブの全質量Ｗとの積の値をＭとし、
前記各値の中からＭを含む少なくとも二つの値を組み合わせて記号又は数値で表示したことを特徴とするゴルフクラブ。
【請求項２】
ヘッドとシャフトとグリップからなる複数のゴルフクラブを含みパターを除くゴルフクラブセットに於いて、
個々のクラブの全質量をＷとし、
個々のクラブの重心位置からグリップ末端までの寸法の値をＡとし、
個々のクラブの重心位置からグリップ末端から一定寸法を差し引いた位置までの長さの値をＡｊとして、該Ａｊの二乗とクラブの全質量Ｗとの積の値をＭとしたとき、複数のクラブ毎の前記値Ｍが略クラブの重心位置からグリップ末端までの寸法の値Ａの比例定数が正の一次関数になるように構成されていて、該比例定数の値を記号又は数値で表示したことを特徴とするゴルフクラブセット。
【請求項３】
ゴルフクラブのグリップに於いて
シャフトの差し込み側又はシャフトのヘッド側の他方の末端から巻き始めたグリップの先端側にグリップの一部分を切除して該グリップの質量を調整するためのマーク又は残った部分の質量或いは切除する部分の質量を表わす記号又は数字を形成したことを特徴とするグリップ。
【請求項４】
ゴルフクラブのグリップに於いて、
異なる質量を有し且つ夫々少なくとも質量が表示された複数のシート群から選択されたシートをシャフトに巻き付けたことを特長とするグリップ。
【発明の詳細な説明】
【技術分野】
【０００１】
本発明は、ゴルファーの体力或いは技量に適応したクラブを容易に選択し得るようにしたクラブ及びクラブセットと、ゴルファーの体力或いは技量に適応し得るような調整を容易に行えるようにしたグリップに関するものである。
【背景技術】
【０００２】
ゴルフは性や年齢を問わず、またプロ，アマを問わず、競技人口が多い。従って、ゴルフ競技は、体力的にも技量的にも広い幅を持った様々なゴルファーがプレイすることになる。即ち、体躯，筋力或いは技量共に最高に位置するプロゴルファーから、体躯，筋力及び技量ともに劣るアマゴルファーに至る多くの人々がゴルフ競技を行うため、ゴルファーの体力或いは技量に最も適したクラブを選択して使用することが求められる。
【０００３】
例えばボールの飛距離を延ばす主な方法として、ヘッドの質量を大きくすること或いはインパクトの瞬間のヘッドスピードを大きくすることがある。ヘッドの質量を大きくするとクラブの質量が大きくなり、重くて良好なスイングが困難になり、またヘッドスピードを増加させるために撓り易いシャフトを用いると効果的であるが、撓りが大きくなって打球の飛方向のコントロールが困難になるという問題が派生する。
【０００４】
上記の如き観点から、体躯，筋力の強いゴルファーは、シャフトの撓りの小さいクラブを選択し、自身の力でヘッドスピードを大きくし、これにより打球の飛距離を延ばすことが可能である。このようなクラブでは、シャフトの質量が大きく、全質量に占めるヘッドの質量の割合が小さくなる。また体躯，筋力が弱いゴルファーは、シャフトの撓りの大きいクラブを選択し、スイングに伴うシャフトの撓りの復元によってヘッドスピードを大きくして打球の飛距離を延ばすことが可能である。このようなクラブでは、シャフトの質量が小さく、全質量に占めるヘッドの質量の割合が大きくなる。
【０００５】
現在、クラブの特性を表す指標として、ケネス・スミス氏によるスイングウエイト表示があり、広く一般的に利用されている。この表示は一定の基準でヘッドの利き具合を計った重さをスイングウエイトと呼び、記号（一般にＣ０〜Ｅ９に至る３０段階の記号）で表している。この原理は、グリップエンドから１４インチ（約３６．５cm）の位置からクラブの重心の位置までの距離の長さにクラブの質量を乗じたモーメントの値を表したものである。またクラブを構成するシャフトでは、質量や撓り具合等に対する指標が刻印されているものもある。
【発明の開示】
【発明が解決しようとする課題】
【０００６】
ゴルファーが効果的なスイングを行う条件は、体躯及び筋力と、ヘッド，シャフト，グリップを組み合わせたクラブと、が最良な状態で適合しているか否かにある。即ち、非力なゴルファーであれば非力なりに最適なクラブを選択することが必要であり、強力なゴルファーであれば強力なりに最適なクラブを選択することが必要である。
【０００７】
しかし、上記したケネス・スミス氏のスイングウエイト表示は、静的なバランスを示すものであり、スイングを行う際の条件を加味したものではない。このため、ゴルファーがクラブを持って実際にスイングしたとき、ゴルファーの感覚に適合しないという問題がある。
【０００８】
本発明の目的は、ゴルファーの体躯や筋力及び技量に応じて容易に選択し得るようにしたクラブと、異なる番手のクラブであっても同じような感覚でスイングし得るようにしたクラブセットと、選択したクラブの仕様を更に調整し得るようにしたグリップを提供することにある。
【課題を解決するための手段】
【０００９】
上記課題を解決するために本発明に係るゴルフクラブは、ヘッドとシャフトとグリップからなるゴルフクラブに於いて、クラブの全長の値をＬとし、クラブの全質量の値をＷとし、クラブの重心の位置からグリップ末端までの寸法の値をＡとし、クラブの重心位置からグリップ末端から一定寸法を差し引いた位置までの長さの値をＡｊとして、該Ａｊの二乗とクラブの全質量Ｗとの積の値をＭとし、前記各値の中からＭを含む少なくとも二つの値を組み合わせて記号又は数値で表示したものである。
【００１０】
またゴルフクラブセットは、ヘッドとシャフトとグリップからなる複数のゴルフクラブを含みパターを除くゴルフクラブセットに於いて、個々のクラブの全質量をＷとし、個々のクラブの重心位置からグリップ末端までの寸法の値をＡとし、個々のクラブの重心位置からグリップ末端から一定寸法を差し引いた位置までの長さの値をＡｊとして、該Ａｊの二乗とクラブの全質量Ｗとの積の値をＭとしたとき、複数のクラブ毎の前記値Ｍが略クラブの重心位置からグリップ末端までの寸法の値Ａの比例定数が正の一次関数になるように構成されていて、該比例定数の値を記号又は数値で表示したものである。
【００１１】
またグリップは、ゴルフクラブのグリップに於いて、シャフトの差し込み側又はシャフトのヘッド側の他方の末端から巻き始めたグリップの先端側にグリップの一部分を切除して該グリップの質量を調整するためのマーク又は残った部分の質量或いは切除する部分の質量を表わす記号又は数字を形成したものである。
【００１２】
また他のグリップは、異なる質量を有し且つ夫々少なくとも質量が表示された複数のシート群から選択されたシートをシャフトに巻き付けたものである。
【発明の効果】
【００１３】
本発明に係るゴルフクラブ（以下単に「クラブ」という）では、クラブの長さＬや質量Ｗに加えて、クラブの重心の位置からグリップ末端までの寸法の値Ａ、クラブの重心位置からグリップ末端から一定寸法を差し引いた位置までの長さの値Ａｊ、クラブの全質量Ｗとクラブの重心からグリップ末端から一定寸法差し引いた位置までの長さＡｊの二乗との積の値Ｍ（スイングバランス）、の中から選択されたＭを含む少なくとも二つの値を組み合わせて記号又は数値で表示することによって、クラブを選択する際には、クラブの長さや質量、或いはスイングしたときのバランスの目安を知ることが出来る。
【００１４】
上記各値はゴルファーの体躯や筋力或いは技量に基づくものではなく、クラブの質量や重心の位置，長さ等の値に基づくものである。このため、ゴルファーは、表示された記号や数値から、長さや質量を含むクラブの持つ静的な仕様や、スイング時のバランス等の動的な特性を知ることが可能となり、ゴルファーが自身の体躯や筋力及び技量に応じたクラブを容易に選択することが出来る。
【００１５】
本発明に係るクラブセットでは、個々のクラブ毎のスイングバランスの値Ｍがクラブの重心からグリップ末端までの長さＡに対して比例定数が正の略一次関数からなる直線上に配置されるので、異なる番手のクラブであっても、略同じ感覚で良好なスイングを行うことが出来る。
【００１６】
本発明に係るグリップでは、長さ方向に切除して質量を調整し得るように構成したので、該グリップを適宜切除することによって、クラブ全体の質量Ｗやクラブの重心の位置Ａ、及びスイングバランスＭを調整することが出来る。即ち、グリップを適宜切除することによって軽量化することで、Ａの値を大きくすることが出来る。この結果、スイングバランスの値Ｍも大きく変化し、ゴルファーによっては最適なクラブを実現することが出来る。
【００１７】
また他のグリップでは、異なる質量を持った複数のシート群の中から所要の質量と厚みを持ったシートを選択してシャフトに巻き付けることで、グリップの質量を最適なものとすることが出来る。このため、スイングバランスの値を調整して最適なクラブを実現することが出来る。
【発明を実施するための最良の形態】
【００１８】
以下、本発明に係るクラブ及びクラブセット並びにグリップの好ましい形態について説明する。
【００１９】
本発明に係るクラブは、ゴルファーが選択する際の基準を、クラブそのものの長さの値Ｌや全質量の値Ｗと、スイングしたときの身体への負荷（スイングバランス）の値Ｍと、を含む複数の値の中からＭを含む少なくとも二つの値を組み合わせて記号或いは数値で表示したものであり、クラブそのものの仕様と、スイング時に於ける動的な特性を表示することによって、ゴルファーが自身の体躯や筋力或いは技量を考慮して最適なクラブを選択し得るようにしたものである。
【００２０】
また本発明に係るクラブセットは、パターを除く複数のクラブのスイングバランスＭを、クラブの重心からグリップ末端までの長さＡに対し、比例定数が正の略一次関数になるようにしたものであり、ゴルファーが異なる番手のクラブを用いる場合であっても、略同じような感覚でスイングし得るようにしたものである。
【００２１】
更に、本発明に係るグリップは、一部を切除して質量を調整し、或いは異なる質量を持った複数のシート群の中から最適な質量のシートを選択してシャフトに巻き付けて調整することによって、ゴルファーのスイング時の感覚に基づいて、クラブ質量Ｗ及びスイングバランスＭ等を調整し得るようにしたものであり、ゴルファーが選択したクラブを微妙に調整することで、よりスムーズなスイングを実現することが可能である。
【００２２】
先ず、クラブについて説明する。図１はクラブの寸法条件を説明する図である。図に於いて、クラブ１は、ヘッド２とシャフト３とグリップ４とからなり、互いに組み合わせることが可能なように構成されている。また同図にはクラブ１としてアイアンクラブが記載されているが、本発明ではクラブがアイアンであるかウッドであるか、且つ如何なる番手であるかを問うものではなく、パターを除く如何なるクラブであっても同じように適用することが可能である。
【００２３】
図に示す点５の位置はクラブ１に於ける重心であり、該クラブ１の全質量Ｗ（グラム、ｇ）が作用する位置である。従って、点５を基準として、ヘッド１側の質量とグリップ４側の質量は等しい。この状態でグリップ４の質量を変化させると（グリップ４の質量を小さくすると）、相対的に点５からグリップ側の質量が小さくなり、この結果、実質的に点５の位置がヘッド２側に移動することになる。即ち、グリップ４の質量の変化に伴って重心５の位置を変化させることが可能である。また６はゴルファーがグリップ４を把持したときの手のシャフト側の端部を示し、ゴルファーの体躯の如何に関わらず、グリップ４の末端から２０cmの位置とする。
【００２４】
Ａは点５からグリップ４の末端までの距離、即ち、重心からグリップエンドまでの距離（センチメートル、cm）であり、以後、バランスアームＡという。またＧはゴルファーがグリップ４を把持するときの長さであり、ゴルファーの体躯によって異なるものの、略２０cm程度であるため、前述したようにグリップエンドから２０cm（一定）とし、以後グリップ長Ｇという。従って、Ａｊは重心からグリップエンドまでの長さＡからグリップ長Ｇを引いた寸法（cm）となり、以後スイングアームＡｊという。更に、Ｌはグリップエンドからヘッドを正しく接地させるヘッドのソール面までの長さ（cm）であり、以後全長Ｌという。Ｌｊは前記Ｌからグリップ長Ｇを引いた長さ（cm）であり、以後実効長Ｌｊという。
【００２５】
先ず、スイング中のクラブの身体への負荷について考察する。スイング時にゴルファーの身体に感じる負荷は、アドレス時に於ける静的な負荷ではなく、クラブ１のスイングに伴う動的な負荷である回転モーメントとなる。この回転モーメントは、クラブ１の質量Ｗと、重心である点５からグリップ４に於ける位置６までの長さであるスイングアームＡｊの二乗との積で求められる。即ち、回転モーメントは、Ｗ・Ａｊ・Ａｊ（ｇ・cm2 ）で求められる値であり、この値を以後スイングバランスＭという。
【００２６】
スイングバランスＭの値が大きいほど、ヘッド１を加速する際のゴルファーの負担は大きくなる。一般的に、スイング時に於けるクラブ１の負荷の感覚は、ゴルファー自身の体躯，筋力或いは技量にとってクラブ１のスイングバランスＭが適切であるか否かの感覚となる。即ち、スイング時に身体に負担が掛かっている、と感じる場合、そのクラブ１はゴルファーにとってスイングバランスＭが大きすぎると不適当なクラブであるといえる。
【００２７】
ここで、ゴルファーにとって好ましいクラブ１に於ける、ヘッド２，シャフト３，グリップ４の組み合わせについて質量と寸法の面から考察する。
【００２８】
ヘッド２の質量（Ｈ）はクラブ１の質量Ｗの約６５％〜８０％を占め、ボールの飛距離に影響を与える。またヘッド２の形状は飛方向の制御性に影響を与える。ボールの飛距離を大きくするためには、ヘッド２の質量Ｈを大きくすることが必要である。しかし、ヘッド２の質量が大きくなり過ぎると、スイングバランスＭの値が大きくなり過ぎて円滑なスイングを阻害するという問題が生じる。
【００２９】
シャフト３は、グリップ４を介してゴルファーの身体の回転をヘッド２に伝達する機能を有する。特に、ヘッドスピードを増大させるのに充分な撓りとキックポイントを有し、スイングの際にヘッドに作用する遠心力に応じた引張力、ダウンスイング時のヘッドの慣性力に起因する撓り、インパクトの瞬間の衝撃や捩れに対抗した反力をグリップ４に伝達するものである。このような機能を持つシャフト３としては、軽量であること且つ適度な撓りのあることが好ましく、インパクト時の捩れが少ないことが好ましい。
【００３０】
シャフト３の質量は選択した材料に応じて異なり、発揮し得る機能も異なる。例えばカーボンシャフトの場合、質量は４０ｇ〜７５ｇ程度の範囲にあり、軽量で且つ撓りが大きく非力なゴルファーであってもヘッドスピードを向上させることが可能となるものの、インパクト時の捩れが生じ、飛球の方向性の制御が難しい。またスチールシャフトの場合、質量は９０ｇ〜１２０ｇの範囲にあり、重く且つ撓りは小さいが、インパクト時の捩れが小さく、飛球の方向性を制御することが容易である。
【００３１】
グリップ４は、ゴルファーの身体の先端にある両手とクラブとの接合点であり、身体の回転によって発生させた回転速度をヘッド２に伝達する機能を有するものである。このため、グリップ４は掌の大きさに対応した太さと、滑りにくく且つインパクト時の衝撃を緩和し得る材質を有することが好ましい。またグリップ４はパター用を除いて軽量であることが好ましく、通常約４０ｇ〜６０ｇの範囲にある。
【００３２】
一方、ゴルファーの体躯，筋力或いは技量を考慮したとき、ゴルファーを次のように、体躯，筋力，技量共に高度な「男子上級者（５級層）」、通常の男子ゴルファー層からなる「一般男子（４級層）」、非力な男子或いはシニア層からなる「非力者，シニア（３級層）」、通常の女子ゴルファー層からなる「女性（２級層）」、非力な女子ゴルファー層からなる「非力女性（１級層）」の略５段階に分類することが可能である。
【００３３】
本件発明者が上記５段階の各層に相当するゴルファーが用いているクラブ（パターを除く）に於ける質量Ｗ、バランスアームＡ、スイングバランスＭ、撓り具合の傾向を調査した。その結果、次のような傾向があった。
【００３４】
クラブの番手と質量との比は、男子上級者である５級層が最も大きく、次いで４級層，３級層，２級層，１級層の順に小さくなる。即ち、番手毎のクラブの質量は、体躯，筋力或いは技量の優れている者ほど大きくなり、非力になるほど小さくなる。
【００３５】
特定の番手のクラブでは、バランスアームＡは、５級層が最も小さく、次いで１級層，２級層，４級層，３級層の順に大きくなる。即ち、男子上級者が採用するクラブは重心がヘッド側よりもグリップ側に存在し、非力になるほど重心がヘッド側に接近する。しかし、女性（１級層及び２級層）のゴルファーは男性に比して非力の程度が大きく、クラブ重心があまりヘッド側に接近してしまうと、大きくなったスイングバランスＭが身体の負担になりスイングの制御が困難になるため、比較的グリップ側に接近したクラブを用いている。
【００３６】
バランスアームＡに対するスイングバランスＭは、５級層，４級層，３級層の順に小さくなり、更に、２級層，１級層の順に小さくなる。前述したように、スイングバランスＭは、クラブの質量ＷとスイングアームＡｊの二乗との積であり、スイングアームＡｊはバランスアームＡからグリップ長Ｇを引いた値である。従って、特定の番手のクラブでは、５級層のバランスアームＡが最も小さいにも関わらず、バランスアームに対するスイングバランスＭが最も大きいことは、クラブの質量が他の級層のクラブと比較して大きいことを示しており、また１級層のバランスアームＡが小さく、バランスアームＡに対するスイングバランスＭが最も小さいのはクラブの質量が他の級層のクラブと比較して最も小さいことを示している。
【００３７】
シャフトの撓り具合は、５級層が最も小さく、次いで、４級層，３級層，２級層，１級層の順に大きくなる。即ち、上級者ではシャフトの撓りを期待することなく飛距離を延ばすことが可能であり、非力になるに従って、シャフトの撓りに伴うヘッドスピードの増加を期待することになる。
【００３８】
上記傾向をドライバーのクラブで検証したところ、次のような結果を得た。
【００３９】
質量Ｗ（ｇ）、５級層：３３２〜３２０、４級層：３１５〜３００、３級層：２９０〜２７５、２級層：２８０〜２７０、１級層：２６５程度、
バランスアームＡ（cm）、５級層：８３〜８５、４級層：８６〜８８、３級層：８８〜９２、２級層：８７〜８９、１級層：８５程度、
スイングバランスＭ（×１００００ｇ・cm2 ）、５級層：１３０〜１３３、４級層：１３２〜１３７、３級層：１３４〜１４３、２級層：１２０〜１２５、１級層：１１０程度、
撓り具合、５級層：重くて硬め、４級層：軽めで中度の硬さ、３級層：軽く軟らかめ、２級層：軽く軟らかい、１級層：非常に軽く軟らかい。
【００４０】
従って、個々のクラブ毎に上記質量Ｗ、バランスアームＡ，スイングバランスＭ、及びクラブの全長Ｌ（以下、総称して「クラブの特性」という）の中からスイングバランスＭを含む少なくとも２つの値を組み合わせて記号又は数値で表示することで、ゴルファーは自身の体躯や筋力に応じたクラブを選択することが容易となる。
【実施例１】
【００４１】
図２は図１に示すクラブ１の特性を表示するラベルの一例を示す図である。図に於いて、ラベル１０は、薄い金属フィルムの片面に粘着性が付与され、他方の面にクラブの特性を示す記号と数値が印字されている。
【００４２】
ラベル１０は、クラブ１の予め設定された位置に貼り付けられ、クラブ１を購入しようとうするゴルファーが容易に視認し得るようにされている。ラベル１０のクラブ１に対する貼り付け位置は特に限定するものではなく、例えばシャフト３とグリップ４との接続部位に於けるシャフト３の外周面であると、汚れが発生することがなく、且つ見易い位置であるといえる。
【００４３】
ラベル１０に印字された記号，数値は、最初の三桁の数値１１がクラブ１の全長Ｌに対応するものであり、全長Ｌを小数点第１位で四捨五入した数値を示している。従って、同図に於ける数値１１は、全長Ｌが１１４cm、即ち、１１３．５cm〜１１４．５cm未満の範囲であることを示している。
【００４４】
二番目の記号１２は、バランスアームＡの値（cm）を区分化して記号を付与したものであり、例えば、アルファベットのａ〜ｚを、ａ：６８、ｂ：６９、ｃ：７０、ｄ：７１、ｅ：７２、ｆ：７３、ｇ：７４、ｈ：７５、ｉ：７６、ｊ：７７、ｋ：７８、ｌ：７９、ｍ：８０、ｎ：８１、ｏ：８２、ｐ：８３、ｑ：８４、ｒ：８５、ｓ：８６、ｔ：８７、ｕ：８８、ｖ：８９、ｗ：９０、ｘ：９１、ｙ：９２、ｚ：９３としている。
【００４５】
尚、上記各記号に対応させた各数値は、小数点第１位で四捨五入した数値として示しており、例えば図２に示す記号１２のｒは、バランスアームＡの長さが８５cm、即ち、８４．５cm〜８５．５cm未満の範囲にあることを示している。
【００４６】
記号１２に引き続く三番目の数値１３は、クラブ１の質量Ｗの値（ｇ）を小数点第１位で四捨五入した数値を表している。例えば図２に示す数値１３の３０５は、質量が３０５ｇ、即ち、３０５．５ｇ〜３０６．５ｇ未満の範囲にあることを示している。
【００４７】
更に、数値１３に引き続く記号１４は、スイングバランスＭの値（×１００００ｇ・cm2 ）を区分化して記号を付与したものであり、スイングバランスＭの値を２１区分してアルファベットに対応させたものである。例えば、Ａ：９１、Ｂ：９４、Ｃ：９７、Ｄ：１００、Ｅ：１０３、Ｆ：１０６、Ｇ：１０９、Ｈ：１１２、Ｉ：１１５、Ｊ：１１８、Ｋ：１２１、Ｌ：１２４、Ｍ：１２７、Ｎ：１３０、Ｏ：１３３、Ｐ：１３６、Ｑ：１３９、Ｒ：１４２、Ｓ：１４５、Ｔ：１４８、Ｕ：１５１、Ｖ：１５４、Ｗ：１５７、Ｘ：１６０、Ｙ：１６３、Ｚ：１６６としている。
【００４８】
特に、本実施例では記号１４の数値の範囲を、表示した数値を中心として−１×１００００ｇ・cm2 以上、＋２×１００００ｇ・cm2 未満の範囲とし、クラブ１のスイングバランスＭを、更に、ａ，ｂ，ｃの３つに細分している。即ち、ａを−１代、ｂを±０代、ｃを＋１代とすることで記号１４の数値を細区分している。例えば記号１４がＰａである場合、スイングバランスＭは１３５×１００００ｇ・cm2 以上１３６×１００００ｇ・cm2 未満を表し、Ｐｂの場合はスイングバランスＭは１３６×１００００ｇ・cm2 以上１３７×１００００ｇ・cm2 未満を表し、ＰｃではスイングバランスＭは１３７×１００００ｇ・cm2 以上１３８×１００００ｇ・cm2 未満を表している。従って、図２に示す記号１４のＫａは、クラブのスイングバランスＭが、１２０（×１００００ｇ・cm2 ）以上１２１（×１００００ｇ・cm2 ）未満であることを示している。
【００４９】
ラベル１０には、更に、シャフトの質量や撓りの程度等の数値を表示しておくことも可能である。またラベル１０に印字する数値や記号の表記は上記実施例に限定するものではなく、例えばクラブ１の全長Ｌの値や質量Ｗの値を記号化したり、バランスアームＡの値やスイングバランスＭの値を数値で表しても良いことは当然である。
【００５０】
またクラブ１の特性を示す数値や記号を表示する手段としては、前述したラベル１０に限定するものではなく、ある程度の厚さを持った紙に複数の欄を印刷して表示しても良く、バーコードやＩＣチップを用いても良い。
【実施例２】
【００５１】
次に、クラブセットの構成について図３，図４により説明する。図３は本実施例に係るクラブセットを構成するクラブのバランスアームＡの値とスイングバランスＭの値の関係を表す図である。図４は本実施例に係るクラブセットを構成するクラブのバランスアームＡの値と質量Ｗの値の関係を表す図である。尚、図に於いて、各線に示す×印はピッチングウエッジを示し、●印はドライバーを示し、▲印は５番アイアンを示している。
【００５２】
図３に示す線２１は、本実施例に係るクラブセットのピッチングウエッジ（Ｐｗ）からドライバー（１ｗ）のバランスアームＡの値に対するスイングバランスＭの値を結んだものである。このクラブセットを構成するクラブは、シニア用（３級層）を対象としたものである。
【００５３】
上記線２１では、ＰｗのバランスアームＡは７５であり、このときのスイングバランスＭは１１６である。また１ｗでは、Ａは８９．５、Ｍは１３６である。この線２１は、
Ｍ＝αＡ＋βで表される一次関数によって近似され、比例定数αは約１．１４に設定されている。クラブセットを構成する番手の異なる他のクラブ、例えば３番アイアン（３Ｉ）や６番ユティリティ（６Ｕ）や３番フェアウェイウッド（３Ｗ）なども、前記線２１上の位置にあることは当然である。
【００５４】
上記の如く、パターの除く複数のクラブからなるクラブセットを、バランスアームＡの増加に従って一定の比率でスイングバランスＭを大きくするように構成することによって、このクラブセットを構成するクラブを利用するゴルファーは、選択したクラブの番手の如何に関わらず、スイングしたとき常に同じような負荷が作用して安定したスイングを実現することが可能となる。
【００５５】
尚、図に於いて、線２２は１級層のゴルファーを対象としたクラブセットに於けるバランスアームＡとスイングバランスＭとの関係を表すものであり、スイングバランスＭの値が最も小さい。更に、線２２の比例定数αは約１に設定されている。
【００５６】
また線２３，２４は２級層のゴルファーを対象としたクラブセットに於けるバランスアームＡとスイングバランスＭとの関係を表すものであり、スイングバランスＭの値は線２２の１級層を対象としたものよりも大きい。更に、線２３，２４の比例定数αは約１．２４に設定されている。
【００５７】
線２６は、４級層を対象としたクラブセットに於けるバランスアームＡとスイングバランスＭとの関係を表すものであり、スイングバランスＭの値は線２１よりも大きい。更に、線２６の比例定数αは約１．３に設定されている。
【００５８】
線２５は、上級者である５級層を対象としたクラブセットに於けるバランスアームＡとスイングバランスＭとの関係を表すものである。この線２５に表されるクラブセットは、シャフトをスチールによって構成し、シャフト及びグリップの合計質量が大きいため、重心の位置が線２１〜線２４、線２６のクラブセットを構成するクラブよりもグリップ側にあるものである。このため、バランスアームＡの値は線２１，２６の３級層，４級層を対象としたものよりも極端に小さくなり（図の左寄りになる）、更に、線２５の比例定数は約１．３５に設定されている。
【００５９】
尚、線２１〜線２６の比例定数は、本実施例の数値にのみ限定するものではなく、５級層のゴルファーでは、比例定数を１．５程度に設定しても円滑なスイングを実現することが可能であった。しかし、比例定数が２程度になると、飛距離を伸ばすクラブ（１ｗや３ｗ）をスイングする際に、身体に大きな負荷が作用し、１ラウンドのプレイを安定した且つ円滑なスイングを実現することが困難になる。
【００６０】
線２１〜線２６に於いて、直線部分の勾配はスイング時のヘッドの慣性を利用しようとする意図の程度を表しており、上級者ほど強く勾配が大きい。しかし、長いクラブ、ウッドクラブ特にドライバー（１Ｗ）のバランスアームＡの線２１，線２５，線２６の直線部分の延長線（図３の点線部分）のスイングバランスＭ点と実線のスイングバランスＭ点との乖離分Δ２１，Δ２５，Δ２６は、長いクラブである１Ｗのヘッドの慣性によるシャフトの撓りを利用してヘッドスピードを増加させる意図を表している。上級者では打球の方向性の制御が難しくなるため、撓りの程度の少ない硬いシャフトを使用することから、Δ２５は小さく、非力な者ほど打球の飛距離を大きくするために、撓りの程度の大きい軟らかいシャフトを使用することからΔ２１が最も大きくなっている。更に、線２２〜線２４の女性用の場合、ほとんど直線のままで乖離はなく、飛距離を大きくしたい１Ｗであっても、ヘッドの慣性を利用するには女性としてスイングバランスＭの値が大きくなり過ぎて好ましいスイングが出来なくなるためである。
【００６１】
また本実施例に於けるバランスアームＡの値やスイングバランスＭの値は、この値にのみ限定するものではなく、適宜設定することが可能である。
【００６２】
図４は図３の線２１に示す３級層を対象としたクラブセットに於けるバランスアームＡとクラブの質量Ｗとの関係を示す図である。図に示すように、クラブの質量はＰｗから１ｗにかけて順に軽くなる。
【００６３】
図４に明らかなように、バランスアームＡの増加に対し、質量Ｗはアイアン範囲では一次関数的に減少し、ウッド範囲の５ｗ，３ｗ，１ｗとなるのにつれて、減少率は小さくなる。即ち、クラブの質量Ｗが小さくなるにしてもヘッドの質量を確保するためには限度があり、あまり小さくなり過ぎると、クラブとしての機能を損ない、かえって円滑なスイングを阻害するためである。
【００６４】
上記の如きバランスアームＡとスイングバランスＭとの関係を持ったクラブセットを構成することによって、ゴルファーの体躯や筋力或いは技量に応じた最適なクラブセットとすることが可能である。そしてゴルファーは、自身の体躯や筋力或いは技量に応じて比例定数に加えてバランスアームＡに対するスイングバランスＭの値の関係を目安に最適なクラブセットに調整することが可能となり、極めて有効である。更に、比例定数と併せて予め固定して設定したバランスアームＡ（例えば７６cm）に対するスイングバランスＭの値を特定すれば、クラブセットのパターを除く任意のクラブ番手のバランスアームＡとスイングバランスＭの値を特定することが可能であり、この値を目安にして自身に最適なクラブセットを選択することが可能となる、
【実施例３】
【００６５】
次に、第１のグリップの構成について図５により説明する。図に示すグリップ４は一端部を閉塞した内部に空洞を設けた筒状に形成され、該空洞部分にシャフト３の端部が差し込まれて両者が固定されている。クラブに於けるグリップは必ずしも図に示す構成に限定されるものではなく、シャフトの末端側から細長いテープを複数回巻き付けて形成したグリップもあり、本実施例は何れのグリップにも共通して採用し得るものである。
【００６６】
グリップ４のシャフト３の差し込み側の端部４ａ、或いはシャフト３に於けるヘッド２とは反対側から巻き始めたグリップ４の先端側（ヘッド側）の端部４ａに、複数の線４ｂが所定の間隔を持って形成されており、各線４ｂの間に数値４ｃが形成されている。個々の数値４ｃはグリップ４の末端側から表示された線４ｂまでの質量を示すものであり、端部４ａに表示されている数値４ｃが現在のグリップ４の質量を表している。また線４ｂは個々の数値４ｃに表される質量の区画を示すものである。
【００６７】
グリップ４の質量を調整する場合、線４ｂに沿って切除し、切除されたシャフトの差し込み側を排除することで行われる。このため、線４ｂは単なる印刷や刻印であっても良いが、切除が容易に行えるようにミシン目からなる線であることが好ましい。また線４ｂ及び数値４ｃがグリップ４の質量を調整するためのものであることから、これらは例えば１ｇ或いは２ｇのように細かい単位で設定されることが好ましい。
【００６８】
本実施例では、当初のグリップ４の端部４ａには初期質量である６０ｇを表す数値４ｃ（６０）が表示されており、端部４ａから最も離隔した位置には４３ｇを表す数値４ｃ（４３）が表示されている。
【実施例４】
【００６９】
次に、第２のグリップの構成について図６により説明する。図に於いて、グリップ４は同図（ａ）に示すシート４ｄをシャフト３の末端側に巻き付けると共に、シート４ｄとシャフト３の末端部分にキャップ４ｇを取り付けて構成されている。シート４ｄの内側となる面には全面或いは一部分に両面接着テープ（図示せず）が貼付されている。
【００７０】
シート４ｄとしては、質量の異なるものが複数用意されている。そして、これらのシート群の中から最適な質量を持つシート４ｄを選択して目的のクラブ１を構成するシャフト３の末端側に巻き付けて固定することでグリップ４の質量を調整することが可能である。シート４ｄを選択する際には、少なくとも１枚が必要であることは当然であるが、必要に応じて２枚或いは３枚選択することも可能である。この場合、グリップがシャフトに挿入されるものではなく、シート状のものを巻くので着脱が容易で、一度剥がしたシートを再利用することも可能である。またシートの形状は長方形或いは菱形状であって良い。
【００７１】
このため、シート４ｄには少なくとも質量を表す数値４ｅが表示されており、多数のシート４ｄの中から数値４ｅを確認して選択することで、グリップ４の質量を調整し、或いは適宜設定することが可能である。
【００７２】
またシート４ｄには前記質量の数値４ｅに加えて、該シート４ｄの厚さを表す数値４ｆを表示することが好ましい。このように、シート４ｄの厚さを表示することで、該シート４ｄをシャフトに巻き付けて構成されたグリップ４の太さを調整することも可能となる。
【００７３】
次に、図７により、上記の如くしてグリップ４の質量を軽減することによって調整したときのバランスアームＡの変化の傾向と、グリップ４の質量を変化させることなく、グリップ４で軽減した質量と同じ質量をヘッド２に増加させて調整したときのバランスアームＡの変化の傾向を比較した例について説明する。
【００７４】
図に於いて、縦の目盛りはクラブの質量Ｗの変化分に対するバランスアームＡの変化分、即ち、ΔＡ／ΔＷを示している。線３１は、パターを除く各番手のクラブのグリップ４の質量を５ｇ軽減（ΔＷ＝５）したときの変化傾向を示し、線３２はパターを除く各番手のクラブのヘッド２の質量を５ｇ（ΔＷ＝５）増加させたときの変化傾向を示している。
【００７５】
同図に明らかなように、バランスアームＡの値を大きくしてスイングバランスＭの値を大きくする場合、ヘッド２の質量を増加させるよりもグリップ４の質量を軽減させた方が変化率が大きくなり、僅かな質量の変化（グリップ４の質量）でバランスアームＡの変化を大きくすることが可能となる。
【００７６】
同図にはバランスアームＡの値を大きくしてスイングバランスＭの値を大きくする場合を示したが、グリップ４の質量を増加してバランスアームＡの値を小さくすることでスイングバランスＭの値を小さくすること（クラブの質量Ｗは増加するがスイングバランスＭの値は減少する）或いはヘッド２の質量を軽減してバランスアームＡの値を小さくしてスイングバランスＭの値を小さくすることも可能である。しかし、現実にはスイングバランスＭの値を減少させるためにヘッド２の質量を減少させることは一般の作業として困難であり好ましくはない。即ち、グリップ４の質量を僅かに変化させることで、スイングバランスＭの値を大きく変化させることが可能となるため、クラブのスイングバランスを調整するには、ヘッドの質量を変化させるよりもグリップの質量を変化させる方が有効であることを示している。更に、グリップ及びヘッドの双方の質量の調整を組み合わせた調整方法は、クラブ質量とスイングバランスＭを共に調整することが可能となり、より有効なものとなる。
【図面の簡単な説明】
【００７７】
【図１】クラブの寸法条件を説明する図である。
【図２】クラブ１の特性を表示するラベルの一例を示す図である。
【図３】クラブセットを構成するクラブのバランスアームＡの値とスイングバランスＭの値の関係を表す図である。
【図４】クラブセットを構成するクラブのバランスアームＡの値と質量Ｗの値の関係を表す図である。
【図５】第１のグリップの構成を説明する図である。
【図６】第２のグリップの構成を説明する図である。
【図７】グリップの質量を軽減することによって調整したときのバランスアームの変化の傾向と、ヘッドの質量を増加させて調整したときのバランスアームの変化の傾向を比較して説明する図である。
【符号の説明】
【００７８】
Ａ                      バランスアーム
Ａｊ                    スイングアーム
Ｇ                      グリップ長
Ｌ                      全長
Ｌｊ                    実効長
Ｍ                      スイングバランス
１                      クラブ
２                      ヘッド
３                      シャフト
４                      グリップ
４ａ                    端部
４ｂ                    線
４ｃ                    数値
４ｄ                    シート
４ｅ，４ｆ              数値
５                      点（重心）
６                      手のシャフト側の端部
１０                    ラベル
１１                    数値
１２                    記号
１３                    数値
１４                    記号
２１〜２６，３１，３２  線
【図１】
2005304679.tif 000003
【図２】
2005304679.tif 000004
【図３】
2005304679.tif 000005
【図４】
2005304679.tif 000006
【図５】
2005304679.tif 000007
【図６】
2005304679.tif 000008
【図７】
2005304679.tif 000009